(57)【特許請求の範囲】
【請求項１】
車体に搭載されたエンジンの排気ガスを清浄化する排気ガス後処理装置に供給される尿素水を貯えるタンク本体と、
前記タンク本体内に挿入して設けられ、尿素水の状態を検出するセンサを有するセンサユニットとを含んで構成された建設機械の尿素水タンクにおいて、
前記タンク本体の上面部と下面部のうち少なくとも一方の面に設けられ、前記センサユニットの外形寸法よりも大きく開口した開口部と、
前記タンク本体の前記一方の面に設けられ、前記開口部を閉塞する閉塞部材と、
前記タンク本体の前記開口部に先端側から挿入されて前記センサユニットを取囲む筒状体からなり、基端が前記閉塞部材を用いて前記タンク本体の前記一方の面に取付けられているフィルタとを備え、
前記タンク本体の前記上面部に設けられた前記開口部は、前記センサユニットを挿入するためのユニット挿入開口部であり、
前記センサユニットは、前記閉塞部材に取付けられており、
前記フィルタは、前記基端に径方向の外側に延びたフランジ部を有し、
前記フィルタは、先端側から前記ユニット挿入開口部を介して前記タンク本体内に挿入され、
前記フィルタの前記フランジ部は、前記ユニット挿入開口部を閉塞するための前記閉塞部材によって前記タンク本体の前記上面部との間に挟持して取付けられ、
前記タンク本体の前記下面部には、前記フィルタの内側に位置して尿素水を排出するためのドレンプラグが設けられていることを特徴とする建設機械の尿素水タンク。
【請求項２】
車体に搭載されたエンジンの排気ガスを清浄化する排気ガス後処理装置に供給される尿素水を貯えるタンク本体と、
前記タンク本体内に挿入して設けられ、尿素水の状態を検出するセンサを有するセンサユニットとを含んで構成された建設機械の尿素水タンクにおいて、
前記タンク本体の上面部と下面部のうち少なくとも一方の面に設けられ、前記センサユニットの外形寸法よりも大きく開口した開口部と、
前記タンク本体の前記一方の面に設けられ、前記開口部を閉塞する閉塞部材と、
前記タンク本体の前記開口部に先端側から挿入されて前記センサユニットを取囲む筒状体からなり、基端が前記閉塞部材を用いて前記タンク本体の前記一方の面に取付けられているフィルタとを備え、
前記タンク本体の前記下面部に設けられた前記開口部は、前記センサユニットと上，下方向で対向する位置で前記フィルタを挿入するためのフィルタ挿入開口部であり、
前記フィルタは、前記基端に径方向の外側に延びたフランジ部を有し、
前記フィルタは、先端側から前記フィルタ挿入開口部を介して前記タンク本体内に挿入され、
前記フィルタの前記フランジ部は、前記フィルタ挿入開口部を閉塞するための前記閉塞部材によって前記タンク本体の前記下面部との間に挟持して取付けられる構成としたことを特徴とする建設機械の尿素水タンク。
【請求項３】
前記タンク本体の前記下面部に設けられた前記閉塞部材には、前記フィルタの内側に位置して尿素水を排出するためのドレンプラグが設けられていることを特徴とする請求項２に記載の建設機械の尿素水タンク。
【請求項４】
車体に搭載されたエンジンの排気ガスを清浄化する排気ガス後処理装置に供給される尿素水を貯えるタンク本体と、
前記タンク本体内に挿入して設けられ、尿素水の状態を検出するセンサを有するセンサユニットとを含んで構成された建設機械の尿素水タンクにおいて、
前記タンク本体の上面部と下面部のうち少なくとも一方の面に設けられ、前記センサユニットの外形寸法よりも大きく開口した開口部と、
前記タンク本体の前記一方の面に設けられ、前記開口部を閉塞する閉塞部材と、
前記タンク本体の前記開口部に先端側から挿入されて前記センサユニットを取囲む筒状体からなり、基端が前記閉塞部材を用いて前記タンク本体の前記一方の面に取付けられているフィルタとを備え、
前記タンク本体の前記下面部に設けられた前記開口部は、前記センサユニットと上，下方向で対向する位置で前記フィルタを挿入するためのフィルタ挿入開口部であり、
前記フィルタは、前記基端が前記フィルタ挿入開口部を閉塞するための前記閉塞部材と一体的に設けられ、
前記フィルタは、先端側から前記フィルタ挿入開口部を介して前記タンク本体内に挿入されることを特徴とする建設機械の尿素水タンク。
【請求項５】
車体に搭載されたエンジンの排気ガスを清浄化する排気ガス後処理装置に供給される尿素水を貯えるタンク本体と、
前記タンク本体内に挿入して設けられ、尿素水の状態を検出するセンサを有するセンサユニットとを含んで構成された建設機械の尿素水タンクにおいて、
前記タンク本体の上面部と下面部のうち少なくとも一方の面に設けられ、前記センサユニットの外形寸法よりも大きく開口した開口部と、
前記タンク本体の前記一方の面に設けられ、前記開口部を閉塞する閉塞部材と、
前記タンク本体の前記開口部に先端側から挿入されて前記センサユニットを取囲む筒状体からなり、基端が前記閉塞部材を用いて前記タンク本体の前記一方の面に取付けられているフィルタとを備え、
前記タンク本体の他方の面には、前記フィルタの先端が嵌合する嵌合部が設けられていることを特徴とする建設機械の尿素水タンク。
【請求項６】
前記フィルタの先端と前記嵌合部との間には、前記フィルタの先端を弾性的に保持する弾性部材が設けられていることを特徴とする請求項５に記載の建設機械の尿素水タンク。
【発明の詳細な説明】
【技術分野】
【０００１】
本発明は、例えば、排気ガス後処理装置に供給する尿素水を貯えるために油圧ショベル等に設けられる建設機械の尿素水タンクに関する。
【背景技術】
【０００２】
一般に、建設機械の代表例である油圧ショベルは、自走可能な下部走行体と、下部走行体上に旋回可能に搭載された上部旋回体と、上部旋回体の前側に俯仰動可能に設けられたフロント装置とによって構成されている。【０００３】
上部旋回体は、支持構造体を形成する旋回フレームと、旋回フレームに搭載されたエンジンと、エンジンの排気側に接続されエンジンから排出される排気ガスを清浄化する排気ガス後処理装置と、排気ガス後処理装置に供給する尿素水を貯える尿素水タンクとを含んで構成されている。【０００４】
尿素水タンクは、尿素水を貯えるタンク本体と、タンク本体内に挿入して設けられ、尿素水の状態を検出するセンサを有するセンサユニットとを含んで構成されている。また、センサユニットには、ヒータ、尿素水の供給管路、戻り管路等が装備されている。ここで、タンク本体の上面部には、センサユニットが挿通するための開口部が設けられている。さらに、センサユニットの周囲には、タンク本体に入り込んだ不純物が排気ガス後処理装置側に供給されないように、尿素水を濾過するフィルタが設けられている。このフィルタは、センサユニットを包む袋状（バッグ状）に形成されている（特許文献１）。
【先行技術文献】
【特許文献】
【０００５】
【特許文献１】米国特許出願公開第２０１５／０１９６８６２号明細書
【発明の概要】
【０００６】
ところで、特許文献１によるものでは、センサユニットに対してフィルタを取付ける構成としているため、センサユニットとフィルタとの間に取付用の部品が必要になる。これにより、尿素水タンクを組立てるときの作業性の低下、コストの上昇を招くという問題がある。また、フィルタの交換作業では、袋状のフィルタが各種センサ類に接触する虞がある。このため、フィルタの交換作業時には、センサ類を損傷しないように慎重に作業する必要があり、フィルタの交換作業に時間を要するという問題がある。
【０００７】
本発明は上述した従来技術の問題に鑑みなされたもので、本発明の目的は、フィルタを簡単な構成で設けることができる上に、フィルタの交換作業を容易に行うことができるようにした建設機械の尿素水タンクを提供することにある。
【０００８】
本発明は、車体に搭載されたエンジンの排気ガスを清浄化する排気ガス後処理装置に供給される尿素水を貯えるタンク本体と、前記タンク本体内に挿入して設けられ、尿素水の状態を検出するセンサを有するセンサユニットとを含んで構成された建設機械の尿素水タンクにおいて、前記タンク本体の上面部と下面部のうち少なくとも一方の面に設けられ、前記センサユニットの外形寸法よりも大きく開口した開口部と、前記タンク本体の前記一方の面に設けられ、前記開口部を閉塞する閉塞部材と、前記タンク本体の前記開口部に先端側から挿入されて前記センサユニットを取囲む筒状体からなり、基端が前記閉塞部材を用いて前記タンク本体の前記一方の面に取付けられているフィルタとを備え、前記タンク本体の前記上面部に設けられた前記開口部は、前記センサユニットを挿入するためのユニット挿入開口部であり、前記センサユニットは、前記閉塞部材に取付けられており、前記フィルタは、前記基端に径方向の外側に延びたフランジ部を有し、前記フィルタは、先端側から前記ユニット挿入開口部を介して前記タンク本体内に挿入され、前記フィルタの前記フランジ部は、前記ユニット挿入開口部を閉塞するための前記閉塞部材によって前記タンク本体の前記上面部との間に挟持して取付けられ、前記タンク本体の前記下面部には、前記フィルタの内側に位置して尿素水を排出するためのドレンプラグが設けられていることにある。
【０００９】
本発明によれば、フィルタを簡単な構成で設けることができる上に、フィルタの交換作業を容易に行うことができる。
【図面の簡単な説明】
【００１０】
【図１】本発明の第１の実施の形態に適用される油圧ショベルを示す正面図である。
【図２】油圧ショベルをフロント装置と外装カバーの一部を省略した状態で示す平面図である。
【図３】旋回フレームの右前部と尿素水タンクとを示す要部拡大の斜視図である。
【図４】尿素水タンクを拡大して示す断面図である。
【図５】図４中のフィルタの上部側（挿入側）を拡大して示す要部拡大の断面図である。
【図６】図４中のフィルタの下部側（嵌合側）を拡大して示す要部拡大の断面図である。
【図７】図５に示すタンク本体の上面部、センサ取付部材、センサユニットおよびフィルタを分解して示す分解断面図である。
【図８】フィルタを単体で示す斜視図である。
【図９】本発明の第２の実施の形態による尿素水タンクを示す断面図である。
【図１０】図９中のフィルタの上部側（挿入側）を拡大して示す要部拡大の断面図である。
【図１１】図９中のフィルタの下部側（閉塞底板側）を拡大して示す要部拡大の断面図である。
【図１２】図１１に示すタンク本体の下面部、閉塞底板およびフィルタを分解して示す分解断面図である。
【図１３】本発明の第３の実施の形態によるフィルタ一体型取付部材をタンク本体の上面部およびセンサユニットと一緒に示す要部拡大の断面図である。
【図１４】本発明の第４の実施の形態によるフィルタ一体型閉塞底板をタンク本体の下面部およびセンサユニットと一緒に示す要部拡大の断面図である。
【発明を実施するための形態】
【００１１】
以下、本発明の実施の形態に係る建設機械の尿素水タンクとして、クローラ式の油圧ショベルに設けられた尿素水タンクを例に挙げ、添付図面に従って詳細に説明する。
【００１２】
図１ないし図８は本発明の第１の実施の形態を示している。この第１の実施の形態では、タンク本体の上面部に設けられた開口部は、センサユニットを挿入するためのユニット挿入開口部となっている。センサユニットは、閉塞部材に取付けられている。フィルタは、基端に径方向の外側に延びたフランジ部を有し、フィルタは、先端側からユニット挿入開口部を介してタンク本体内に挿入されている。フィルタのフランジ部は、ユニット挿入開口部を閉塞するための閉塞部材によってタンク本体の上面部との間に挟持して取付けられる構成とした場合を例示している。
【００１３】
図１において、油圧ショベル１は、クローラ式の建設機械を構成している。この油圧ショベル１は、自走可能なクローラ式の下部走行体２と、下部走行体２上に旋回可能に搭載され、下部走行体２と共に車体を形成する上部旋回体３と、上部旋回体３の前，後方向の前側に俯仰動可能に設けられ土砂の掘削作業等を行うフロント装置４とにより構成されている。
【００１４】
図２、図３に示すように、上部旋回体３は、後述の旋回フレーム５、エンジン６、ＮＯｘ浄化装置１０、尿素水タンク１１を含んで構成されている。
【００１５】
旋回フレーム５は、前，後方向に延びる厚肉な板体からなる底板５Ａと、底板５Ａ上に立設され、左，右方向に所定の間隔をもって前，後方向に延びた左縦板５Ｂ，右縦板５Ｃと、前記底板５Ａ、各縦板５Ｂ，５Ｃから左，右方向の外向きに延び前，後方向に間隔をもって配置された複数本の張出しビーム５Ｄ（右側のみ図示）と、左，右方向の外側に位置して各張出しビーム５Ｄの先端に取付けられ、前，後方向に延びた左サイドフレーム（図示せず），右サイドフレーム５Ｅとにより構成されている。左，右の縦板５Ｂ，５Ｃには、その前側位置にフロント装置４が俯仰動可能に取付けられている。
【００１６】
エンジン６は、旋回フレーム５の後側に設けられている。エンジン６は、ディーゼルエンジンとして構成され、例えば旋回フレーム５に横置き状態で搭載されている。このエンジン６には、排気ガスを排出するための排気管６Ａが設けられている。
【００１７】
ディーゼルエンジン６は、高効率で耐久性に優れているが、窒素酸化物（ＮＯｘ）等の有害物質が排気ガスと一緒に排出されてしまう。そこで、排気管６Ａに取付けられる後述のＮＯｘ浄化装置１０は、窒素酸化物（ＮＯｘ）を除去する尿素選択還元触媒、酸化触媒（いずれも図示せず）を収容筒体１０Ａ内に収容している。
【００１８】
熱交換装置７は、エンジン６の左側に設けられている。熱交換装置７は、エンジン冷却水を冷却するラジエータ、作動油を冷却するオイルクーラ、エンジン６が吸込む空気を冷却するインタクーラ等により構成されている。一方、油圧ポンプ８は、エンジン６の右側に取付けられている。この油圧ポンプ８は、エンジン６によって駆動されることにより、作動油タンクからの作動油を圧油として吐出するものである。
【００１９】
キャブ９は、旋回フレーム５の左前側に設けられている。このキャブ９は、油圧ショベル１を運転するためにオペレータが搭乗するものである。キャブ９の内部には、オペレータが着座する運転席、各種操作を行うレバー、ペダル等（いずれも図示せず）が配設されている。
【００２０】
ＮＯｘ浄化装置１０は、エンジン６から排気管６Ａを介して排出される排気ガスを清浄化する排気ガス後処理装置を構成している。このＮＯｘ浄化装置１０は、排気ガス中の窒素酸化物（ＮＯｘ）を還元剤となる尿素水（尿素水溶液）を用いて浄化するものである。ＮＯｘ浄化装置１０は、排気管６Ａに接続された収容筒体１０Ａと、収容筒体１０Ａ内に収容された尿素選択還元触媒、酸化触媒、尿素水噴射弁（いずれも図示せず）とを含んで構成されている。尿素水噴射弁は、ホース、尿素水ポンプ等（いずれも図示せず）を介して後述の尿素水タンク１１に接続されている。
【００２１】
ここで、ＮＯｘ浄化装置１０は、尿素水噴射弁により排気ガス中に尿素水を噴射し、尿素選択還元触媒により尿素水から生成されたアンモニアを用いて排気ガス中のＮＯｘを還元反応させ、水と窒素に分解する。そして、酸化触媒によって排気ガス中のアンモニアを低減することにより、排気ガス中のＮＯｘを浄化するものである。
【００２２】
次に、本発明の特徴部分となる尿素水タンク１１の構成について、図３ないし図８を参照して説明する。
【００２３】
この実施の形態では、尿素水タンク１１の固定方向について、箱型状をなした尿素水タンク１１の長手方向が左，右方向となり、尿素水の給水口１２Ｇが前側となるように固定した場合を例示している。これに伴い、尿素水タンク１１の各部の名称には、固定された状態での向き、即ち、上部旋回体３の前，後方向および左，右方向に沿った名称を適用している。なお、尿素水タンク１１は、長手方向を左，右方向とする固定方向以外にも、給水口１２Ｇが右向きまたは左向きとなるように、長手方向を前，後方向とした固定方向とすることもできる。
【００２４】
図３に示すように、例えば、尿素水タンク１１は、旋回フレーム５の右前側に設けられている。尿素水タンク１１は、後述するタンク本体１２、センサ取付部材１６、センサユニット２０、フィルタ２４を含んで構成されている。なお、尿素水タンク１１は、旋回フレーム５の右前側以外にも、キャブ９内、キャブ９の後側の旋回フレーム５上（ユーティリティボックス内）等の他の場所に配設することができる。
【００２５】
図４に示すように、尿素水タンク１１のタンク本体１２は、ＮＯｘ浄化装置１０に供給する還元剤としての尿素水を貯えるものである。タンク本体１２は、内部が閉塞空間となる略直方体状の容器として形成され、旋回フレーム５の左，右方向が長尺方向となるように配置されている。例えば、タンク本体１２は、樹脂材料を用いた成型加工によって形成されている。また、タンク本体１２は、左，右方向に長尺な長方形状の上面部１２Ａと、上面部１２Ａに上，下方向に距離をもって対面する長方形状の下面部１２Ｂと、上面部１２Ａおよび下面部１２Ｂの短尺方向となる前側に位置して上面部１２Ａと下面部１２Ｂとを接続した前面部１２Ｃと、この前面部１２Ｃに対面する後側に位置して上面部１２Ａと下面部１２Ｂを接続した後面部１２Ｄと、上面部１２Ａ、下面部１２Ｂ、前面部１２Ｃおよび後面部１２Ｄの左側を覆う左面部１２Ｅと、上面部１２Ａ、下面部１２Ｂ、前面部１２Ｃおよび後面部１２Ｄの右側を覆う右面部１２Ｆとにより構成されている。
【００２６】
上面部１２Ａは、左，右方向の中間部を凹ませた平坦な平坦面１２Ａ１を有している。この平坦面１２Ａ１から前側は、前方に向けて斜め下側に傾斜した傾斜面１２Ａ２となっている。傾斜面１２Ａ２には、尿素水を給水するためのキャップ１２Ｇ１付きの給水口１２Ｇが設けられている。
【００２７】
図５に示すように、上面部１２Ａの平坦面１２Ａ１には、ほぼ中央に位置して開口部としての円形状のユニット挿入開口部１２Ｈが上，下方向に貫通して設けられている。このユニット挿入開口部１２Ｈは、後述のセンサユニット２０が挿通するもので、センサユニット２０の外形寸法Ｄ２よりも大きな直径寸法Ｄ１をもって開口している。また、ユニット挿入開口部１２Ｈには、後述のフィルタ２４が上方から下方に向けて挿入されている。この場合、ユニット挿入開口部１２Ｈは、フィルタ２４のフィルタ筒部２４Ａを近接して取囲むことにより、フィルタ２４の上側部分を径方向に位置決めすることができる。
【００２８】
上面部１２Ａの平坦面１２Ａ１の上面側には、ユニット挿入開口部１２Ｈから径方向の外側に向けて延びる円環状の凹陥部１２Ｊが形成されている。この凹陥部１２Ｊは、フィルタ２４のフランジ部２４Ｂが配置されるもので、フランジ部２４Ｂの板厚寸法と同等の深さ寸法とフランジ部２４Ｂの直径寸法よりも僅かに大きな直径寸法とに設定されている。
【００２９】
また、平坦面１２Ａ１の上面側には、凹陥部１２Ｊの外周側近傍に位置して環状溝１２Ｋが上向きに開口して設けられている。環状溝１２Ｋには、Ｏリング１３が装着されている。後述するセンサ取付部材１６がタンク本体１２に取付けられたときに、このＯリング１３は、タンク本体１２と取付筒体１７との間を液密にシールするものである。
【００３０】
さらに、上面部１２Ａの平坦面１２Ａ１には、環状溝１２Ｋの外周側近傍に位置して複数個のねじ穴１２Ｌ（２個のみ図示）が設けられている。各ねじ穴１２Ｌは、取付筒体１７を固定するためのボルト１８が螺合するもので、例えば、樹脂成型時にインサートナットを埋め込むことにより形成されている。
【００３１】
一方、図４に示すように、タンク本体１２の下面部１２Ｂには、ユニット挿入開口部１２Ｈの直下に位置して有底状の凹陥穴からなる嵌合部１２Ｍが設けられている。この嵌合部１２Ｍは、フィルタ２４のフィルタ筒部２４Ａの下端２４Ａ４（先端）が嵌合する。これにより、嵌合部１２Ｍは、フィルタ筒部２４Ａの下端２４Ａ４を径方向に位置決め状態で保持するものである。そこで、嵌合部１２Ｍは、ユニット挿入開口部１２Ｈの直径寸法Ｄ１とほぼ同じ直径寸法（内径寸法）をもって形成されている。嵌合部１２Ｍの内周面１２Ｍ１には、内径側に開口して環状溝１２Ｎが設けられている。この環状溝１２Ｎには、弾性部材としてのＯリング１４が装着されている。ここで、Ｏリング１４は、フィルタ２４を構成するフィルタ筒部２４Ａの下端２４Ａ４に対して径方向の外側から弾性的に当接する。これにより、Ｏリング１４は、フィルタ２４の先端側を保持しつつ、フィルタ２４を振動や衝撃から保護するものである。
【００３２】
さらに、下面部１２Ｂには、フィルタ２４の内側となる位置、即ち、嵌合部１２Ｍのほぼ中央部に位置してねじ孔１２Ｐ（インサートナット）が上，下方向に貫通して形成されている。このねじ孔１２Ｐは、タンク本体１２のメンテナンス作業時に、内部の尿素水を排出するものである。ねじ孔１２Ｐには、通常はドレンプラグ１５が螺着されている。このドレンプラグ１５は、例えば、六角ボルトとして形成されている。
【００３３】
このねじ孔１２Ｐとドレンプラグ１５は、フィルタ２４の内側に位置して設けられている。このため、ドレンプラグ１５を取外したときには、フィルタ２４内の尿素水を全て排出することができる。
【００３４】
次に、本発明の特徴部分の一部をなす閉塞部材としてのセンサ取付部材１６の構成について述べる。
【００３５】
センサ取付部材１６は、閉塞部材を構成するもので、タンク本体１２を構成する上面部１２Ａの平坦面１２Ａ１上に、ユニット挿入開口部１２Ｈを閉塞するように設けられている。センサ取付部材１６は、平坦面１２Ａ１に取付けられる取付筒体１７と、取付筒体１７に嵌合されるキャップ体１９とにより構成されている。
【００３６】
取付筒体１７は、例えば金属材料からなり、ユニット挿入開口部１２Ｈと同等な直径寸法をもった円筒部１７Ａと、円筒部１７Ａの下端から径方向の外側に延びた円板状の拡径部１７Ｂとにより形成されている。拡径部１７Ｂの外周側には、上面部１２Ａの各ねじ穴１２Ｌに対応して複数個のボルト挿通孔１７Ｃが設けられている。
【００３７】
ここで、取付筒体１７は、円筒部１７Ａがユニット挿入開口部１２Ｈとほぼ同軸に配置され、拡径部１７Ｂが上面部１２Ａの平坦面１２Ａ１に当接される。この状態で、各ボルト挿通孔１７Ｃに挿通したボルト１８を上面部１２Ａの各ねじ穴１２Ｌに螺着する。これにより、取付筒体１７は、その拡径部１７Ｂを上面部１２Ａに取付けることができる。このときに、拡径部１７Ｂは、上面部１２Ａ（凹陥部１２Ｊ）との間で後述するフィルタ２４のフランジ部２４Ｂを挟持することができる。
【００３８】
キャップ体１９は、弾性を有する樹脂材料から厚肉な円板状に形成されている。このキャップ体１９の外周側には、取付筒体１７の円筒部１７Ａが気液密に嵌合する円筒状の深溝からなる環状溝１９Ａが形成されている。また、キャップ体１９の中央側には、上，下方向に貫通して複数の挿着孔１９Ｂが設けられている。各挿着孔１９Ｂには、レベルセンサ２１のロッド部２１Ａ、ヒータ２２の接続管部２２Ａ、供給管路２３、戻り管路（図示せず）等の上部が弾性を利用して圧入状態で挿着されている。これにより、キャップ体１９は、各挿着孔１９Ｂの締め代（弾性力）によってレベルセンサ２１のロッド部２１Ａ、ヒータ２２、供給管路２３、戻り管路の上部を固定的に支持することができる。
【００３９】
次に、タンク本体１２内に挿入して設けられ、尿素水の状態を検出する各種センサを有するセンサユニット２０について述べる。センサユニット２０は、主にタンク本体１２内の尿素水の状態、例えば尿素水の温度、品質、残量等の情報を検出するものである。センサユニット２０は、尿素水の情報の検出以外にも、尿素水を温める機能や尿素水の供給と戻りの経路を備えている。即ち、センサユニット２０は、後述のレベルセンサ２１、ヒータ２２、供給管路２３を含んで構成されている。これらのレベルセンサ２１、ヒータ２２、供給管路２３等は、上部側がセンサ取付部材１６のキャップ体１９に保持されることにより、タンク本体１２内の所定位置に配置されている。
【００４０】
レベルセンサ２１は、タンク本体１２内の尿素水の残量を計測するものである。このレベルセンサ２１は、キャップ体１９から下向きに延びた直線状のロッド部２１Ａと、ロッド部２１Ａに上，下方向に移動可能に取付けられたフロート２１Ｂとにより構成されている。また、レベルセンサ２１のロッド部２１Ａ内には、フロート２１Ｂの位置信号を出力するためのリード線２１Ｃ、尿素水の濃度や温度の検出信号を出力するリード線２１Ｄ等が延びて設けられている。
【００４１】
ヒータ２２は、温まったエンジン冷却水を循環することにより尿素水を温めるものである。ヒータ２２は、長尺なパイプ材からなり、上，下方向に長円を描くように巻回して形成されている。ヒータ２２は、入口側と出口側の接続管部２２Ａ（片方のみ図示）が上側に延びている。このヒータ２２の接続管部２２Ａは、キャップ体１９の挿着孔１９Ｂを通って外部に延び、エンジン６または熱交換装置７に接続されている。
【００４２】
尿素水の供給管路２３は、タンク本体１２内の尿素水をＮＯｘ浄化装置１０に向けて供給するものである。また、尿素水の供給管路２３と並行して尿素水の戻り管路（図示せず）が設けられている。供給管路２３は、吸込側となる下端部がタンク本体１２の下面部１２Ｂ（嵌合部１２Ｍ）の近傍に位置している。供給管路２３の上端側は、キャップ体１９の挿着孔１９Ｂを通って外部に延びている。
【００４３】
ここで、センサユニット２０の外形寸法について述べる。センサユニット２０は、レベルセンサ２１、ヒータ２２、供給管路２３および戻り管路がタンク本体１２内に挿入されている。この状態で、レベルセンサ２１、ヒータ２２、供給管路２３および戻り管路は、タンク本体１２内で束ねるように配置されている。束ねたレベルセンサ２１、ヒータ２２、供給管路２３および戻り管路を取囲むことができる最も小さな仮想円を描く。この最小仮想円の直径寸法、即ち、図４、図６中に示す寸法Ｄ２がタンク本体１２内におけるセンサユニット２０の外形寸法となっている。そして、センサユニット２０の外形寸法Ｄ２は、タンク本体１２のユニット挿入開口部１２Ｈの直径寸法Ｄ１よりも小さな値となっている。
【００４４】
次に、本発明の特徴部分の一部をなすフィルタ２４の構成およびタンク本体１２に対するフィルタ２４の取付手順について述べる。ここで、第１の実施の形態では、フィルタ２４は、タンク本体１２に対して上側から挿入する構成となっている。このため、第１の実施の形態では、フィルタ２４は、その上端が基端となり、下端が先端となっている。
【００４５】
フィルタ２４は、レベルセンサ２１、ヒータ２２、供給管路２３および戻り管路を取囲むようにタンク本体１２内に設けられている。フィルタ２４は、例えば樹脂材料を用いて円筒状に形成されている。また、フィルタ２４は、タンク本体１２のユニット挿入開口部１２Ｈに先端側から挿入される構成となっている。図８に示すように、フィルタ２４は、上，下方向に長尺な円筒状のフィルタ筒部２４Ａと、フィルタ筒部２４Ａの上端（基端）から径方向の外側に延びたフランジ部２４Ｂとにより構成されている。
【００４６】
フィルタ筒部２４Ａは、格子体を筒状に巻回して形成されたフレーム筒２４Ａ１と、フレーム筒２４Ａ１の格子内の各開口を閉塞するメッシュ、フェルト等からなる複数枚の濾過シート２４Ａ２とにより構成されている。また、図５に示すように、フィルタ筒部２４Ａの基端となる上端２４Ａ３は、タンク本体１２を構成する上面部１２Ａのユニット挿入開口部１２Ｈに嵌合状態で挿通されている。一方、図６に示すように、フィルタ筒部２４Ａの先端となる下端２４Ａ４は、タンク本体１２を構成する下面部１２Ｂの嵌合部１２Ｍに嵌合されている。
【００４７】
従って、フィルタ筒部２４Ａは、ユニット挿入開口部１２Ｈよりも僅かに小さな筒体として形成されており、その内径寸法Ｄ３（図７参照）は、前述したセンサユニット２０の外形寸法Ｄ２（図４、図６参照）よりも大きな寸法に形成されている。即ち、ユニット挿入開口部１２Ｈの直径寸法Ｄ１とセンサユニット２０の外形寸法Ｄ２とフィルタ筒部２４Ａの内径寸法Ｄ３との関係は、下記数１のように設定されている。
【００４８】
【数１】
0006580796.tif 000002
【００４９】
これにより、センサユニット２０の着脱作業時には、レベルセンサ２１、ヒータ２２、供給管路２３、戻り管路等は、フィルタ筒部２４Ａに接触しないように抜き差しすることができる。
【００５０】
フランジ部２４Ｂは、タンク本体１２を構成する上面部１２Ａの凹陥部１２Ｊの内径寸法よりも小さな外径寸法に設定されている。また、フランジ部２４Ｂは、凹陥部１２Ｊの上，下方向の深さ寸法と同等の板厚寸法に設定されている。これにより、フランジ部２４Ｂは、凹陥部１２Ｊに収めることができる。
【００５１】
フィルタ２４をタンク本体１２に取付ける場合の手順の一例について説明する。タンク本体１２のユニット挿入開口部１２Ｈに、フィルタ２４のフィルタ筒部２４Ａの下端２４Ａ４から下向きに挿入する。この挿入状態では、フィルタ筒部２４Ａの上端２４Ａ３は、ユニット挿入開口部１２Ｈに支持されているから、フィルタ筒部２４Ａの上側をユニット挿入開口部１２Ｈによって径方向に位置決めすることができる。一方、フィルタ筒部２４Ａの下端２４Ａ４は、嵌合部１２Ｍに嵌合されているから、フィルタ筒部２４Ａの下側を嵌合部１２Ｍによって径方向に位置決めすることができる。しかも、フィルタ筒部２４Ａの下端２４Ａ４を嵌合部１２Ｍに嵌合した状態では、フィルタ筒部２４Ａは、下端２４Ａ４側を弾性を有するＯリング１４によって保持できるから、振動や衝撃からフィルタ筒部２４Ａの下端２４Ａ４側を保護することができる。
【００５２】
第１の実施の形態による尿素水タンク１１は、上述の如き構成を有するもので、次に、尿素水タンク１１を組立てる場合の作業手順の一例について説明する。
【００５３】
まず、センサ取付部材１６にセンサユニット２０を取付ける場合について述べる。キャップ体１９の各挿着孔１９Ｂに、レベルセンサ２１、ヒータ２２、供給管路２３、戻り管路等の上端側を挿通し、弾性力で保持した状態とする。この状態で取付筒体１７の円筒部１７Ａを、キャップ体１９の環状溝１９Ａに嵌合する。これにより、センサ取付部材１６とセンサユニット２０とは、１個のサブ組立体として形成することができる。
【００５４】
一方、タンク本体１２側では、フィルタ２４のフィルタ筒部２４Ａを、下端２４Ａ４側からタンク本体１２のユニット挿入開口部１２Ｈに挿入する。これにより、フィルタ筒部２４Ａの下端２４Ａ４を嵌合部１２ＭにＯリング１４を介して嵌合する。また、フランジ部２４Ｂをタンク本体１２の凹陥部１２Ｊに配置する。これにより、タンク本体１２に対してフィルタ２４を位置決め状態で挿着することができる。
【００５５】
タンク本体１２に対してフィルタ２４を挿着したら、センサ取付部材１６とセンサユニット２０とからなるサブ組立体をタンク本体１２に組付ける。この場合には、タンク本体１２のユニット挿入開口部１２Ｈ、即ち、フィルタ２４内にセンサ取付部材１６に取付けられたセンサユニット２０のレベルセンサ２１、ヒータ２２、供給管路２３、戻り管路等を下端側から挿入する。このときに、フィルタ２４のフィルタ筒部２４Ａの内径寸法Ｄ３は、センサユニット２０の外形寸法Ｄ２よりも大きな寸法に形成している。これにより、レベルセンサ２１、ヒータ２２、供給管路２３、戻り管路等は、フィルタ筒部２４Ａに接触することなくフィルタ筒部２４Ａ内に円滑に挿入することができる。
【００５６】
次に、フィルタ２４内にセンサユニット２０を挿入したら、センサ取付部材１６を構成する取付筒体１７の拡径部１７Ｂを、タンク本体１２の上面部１２Ａの平坦面１２Ａ１に当接する。この状態で、拡径部１７Ｂに設けられた各ボルト挿通孔１７Ｃにボルト１８を挿通し、このボルト１８を上面部１２Ａの各ねじ穴１２Ｌに螺着する。
【００５７】
これにより、センサ取付部材１６は、各ボルト１８を用いてタンク本体１２に取付けることができる。このセンサ取付部材１６の取付構造を利用することで、フィルタ２４は、そのフランジ部２４Ｂをタンク本体１２の上面部１２Ａと取付筒体１７の拡径部１７Ｂとの間に挟持して取付けることができる。また、センサ取付部材１６に取付けられたセンサユニット２０は、フィルタ２４の内側に配置することができる。
【００５８】
一方、設定した油圧ショベル１の稼働時間が経過し、フィルタ２４の交換を行う場合には、各ボルト１８を取外し、センサ取付部材１６を上側に引き上げてタンク本体１２からセンサユニット２０を取外す。これにより、フィルタ２４は、ユニット挿入開口部１２Ｈから容易に引き抜くことができる。これと逆の手順によって、新しいフィルタ２４をタンク本体１２に簡単に取付けることができる。
【００５９】
なお、図１、図２に示すように、外装カバー２５は、エンジン６、熱交換装置７、油圧ポンプ８、ＮＯｘ浄化装置１０を含む機器を側方および上方から覆うものである。
【００６０】
かくして、第１の実施の形態によれば、尿素水タンク１１は、タンク本体１２の上面部１２Ａに設けられ、センサユニット２０の外形寸法Ｄ２よりも大きく開口した（大きな直径寸法Ｄ１をもった）ユニット挿入開口部１２Ｈと、タンク本体１２の上面部１２Ａに設けられ、ユニット挿入開口部１２Ｈを閉塞するセンサ取付部材１６と、タンク本体１２のユニット挿入開口部１２Ｈに下端２４Ａ４側から挿入されてセンサユニット２０を取囲む筒状体からなり、上端２４Ａ３がセンサ取付部材１６を用いてタンク本体１２の上面部１２Ａに取付けられているフィルタ２４とを備える構成としている。
【００６１】
従って、フィルタ２４をタンク本体１２に取付けるのに、ボルトやブラケットの専用の取付部品を必要としない。この結果、尿素水タンク１１を組立てるときの作業性を向上することができる。また、フィルタ２４の交換作業を容易に行うことができる。しかも、フィルタ２４は、フィルタ筒部２４Ａの内径寸法Ｄ３をセンサユニット２０の外形寸法Ｄ２よりも大きく形成している。これにより、センサユニット２０は、フィルタ２４に接触することなく安全に、かつ容易に抜き差しすることができる。
【００６２】
フィルタ２４は、フィルタ筒部２４Ａの基端となる上端２４Ａ３に径方向の外側に延びたフランジ部２４Ｂを有している。この上で、フィルタ２４は、下端２４Ａ４側からユニット挿入開口部１２Ｈを介してタンク本体１２内に挿入される。これにより、フランジ部２４Ｂは、センサ取付部材１６によってタンク本体１２の上面部１２Ａとの間に挟持して取付けることができる。この結果、フランジ部２４Ｂをセンサ取付部材１６とタンク本体１２の上面部１２Ａとの間に挟持するという簡単な構成でフィルタ２４をタンク本体１２内に取付けることができる。
【００６３】
タンク本体１２の下面部１２Ｂには、フィルタ２４の内側に位置して尿素水を排出するためのねじ孔１２Ｐとドレンプラグ１５が設けられている。これにより、ドレンプラグ１５を取外すことにより、フィルタ２４内の尿素水を全て排出することができる。
【００６４】
タンク本体１２の下面部１２Ｂには、フィルタ２４のフィルタ筒部２４Ａの下端２４Ａ４が嵌合する嵌合部１２Ｍが設けられている。これにより、フィルタ筒部２４Ａの下端２４Ａ４側を径方向に位置決めすることができる。
【００６５】
しかも、嵌合部１２Ｍの内周面１２Ｍ１には、弾性を有するＯリング１４を設けている。これにより、フィルタ筒部２４Ａの下端２４Ａ４側は、走行時や作業時の振動や衝撃から保護することができる。
【００６６】
次に、図９ないし図１２は本発明の第２の実施の形態を示している。本実施の形態の特徴は、タンク本体の下面部に設けられた開口部は、センサユニットと上，下方向で対向する位置でフィルタを挿入するためのフィルタ挿入開口部となっている。フィルタは、基端に径方向の外側に延びたフランジ部を有し、フィルタは、先端側からフィルタ挿入開口部を介してタンク本体内に挿入されている。フィルタのフランジ部は、フィルタ挿入開口部を閉塞するための閉塞部材によってタンク本体の下面部との間に挟持して取付けられる構成としている。なお、第２の実施の形態では、前述した第１の実施の形態と同一の構成要素に同一の符号を付し、その説明を省略するものとする。
【００６７】
図９において、第２の実施の形態による尿素水タンク３１は、前述したセンサ取付部材１６、センサユニット２０と、後述するタンク本体３２、閉塞底板３６、フィルタ３８とを含んで構成されている。
【００６８】
第２の実施の形態によるタンク本体３２は、第１の実施の形態によるタンク本体１２とほぼ同様に、平坦面３２Ａ１と傾斜面３２Ａ２を有する上面部３２Ａ、下面部３２Ｂ、前面部３２Ｃ、後面部３２Ｄ、左面部３２Ｅ、右面部（図示せず）により構成されている。上面部３２Ａの傾斜面３２Ａ２には、キャップ３２Ｆ１付きの給水口３２Ｆが設けられている。
【００６９】
図１０に示すように、上面部３２Ａの平坦面３２Ａ１には、ユニット挿入開口部３２Ｇが設けられている。このユニット挿入開口部３２Ｇは、センサユニット２０が挿通する開口部であり、後述するフィルタ３８のフィルタ筒部３８Ａの上端３８Ａ４が嵌合される嵌合部も兼ねている。従って、ユニット挿入開口部３２Ｇの内周面３２Ｇ１には、環状溝３２Ｈが全周に亘って設けられている。環状溝３２Ｈには、弾性部材としてのＯリング３３が装着されている。また、平坦面３２Ａ１上には、ユニット挿入開口部３２Ｇを取囲むように環状溝３２Ｊが設けられている。この環状溝３２Ｊには、Ｏリング３４が装着されている。さらに、上面部３２Ａの平坦面３２Ａ１には、環状溝３２Ｊの外周側にボルト１８が螺着される複数個のねじ穴３２Ｋ（２個のみ図示）が設けられている。
【００７０】
一方、図１１に示すように、タンク本体３２の下面部３２Ｂには、センサユニット２０と上，下方向で対向する位置、即ち、ユニット挿入開口部３２Ｇの直下に位置して開口部としてのフィルタ挿入開口部３２Ｌが設けられている。このフィルタ挿入開口部３２Ｌは、フィルタ３８のフィルタ筒部３８Ａが挿通するもので、センサユニット２０の外形寸法Ｄ２よりも大きな直径寸法（内径寸法）Ｄ４をもって開口している。これにより、フィルタ挿入開口部３２Ｌに挿通されるフィルタ３８のフィルタ筒部３８Ａの内径寸法Ｄ５を、センサユニット２０の外形寸法Ｄ２よりも大きくすることができる。
【００７１】
タンク本体３２の下面部３２Ｂの下面側には、フィルタ挿入開口部３２Ｌから径方向の外側に向けて延びる円環状の凹陥部３２Ｍが形成されている。この凹陥部３２Ｍは、フィルタ３８のフランジ部３８Ｂが配置されるものである。また、タンク本体３２の下面部３２Ｂには、凹陥部３２Ｍを取囲むように環状溝３２Ｎが設けられている。この環状溝３２Ｎには、Ｏリング３５が装着されている。さらに、下面部３２Ｂには、環状溝３２Ｎの外周側に位置してボルト１８が螺着される複数個のねじ穴３２Ｐ（２個のみ図示）が設けられている。
【００７２】
次に、本発明の特徴部分の一部をなす閉塞底板３６の構成およびタンク本体３２に対する取付構造について述べる。
【００７３】
閉塞底板３６は、閉塞部材を構成するもので、例えば円形状の金属板として形成されている。図１２に示すように、閉塞底板３６の外周側には、下面部３２Ｂの各ねじ穴３２Ｐに対応して複数個のボルト挿通孔３６Ａが設けられている。また、閉塞底板３６には、フィルタ３８の内側となる位置、即ち、ほぼ中央部に位置してねじ孔３６Ｂが上，下方向に貫通して形成されている。このねじ孔３６Ｂは、タンク本体３２のメンテナンス作業時に、内部の尿素水を排出するものである。ねじ孔３６Ｂには、通常はボルトからなるドレンプラグ３７が螺着されている。
【００７４】
ここで、閉塞底板３６は、フィルタ挿入開口部３２Ｌを覆うように下面部３２Ｂの下面に当接される。この状態で、各ボルト挿通孔３６Ａに挿通したボルト１８を下面部３２Ｂの各ねじ穴３２Ｐに螺着する。これにより、閉塞底板３６は、下面部３２Ｂに取付けることができる。このときに、閉塞底板３６は、下面部３２Ｂとの間でフィルタ３８のフランジ部３８Ｂを挟持することができる。
【００７５】
次に、本発明の特徴部分の一部をなすフィルタ３８の構成やタンク本体３２に対する取付手順について述べる。ここで、第２の実施の形態では、フィルタ３８は、タンク本体３２に対して下側から挿入する構成となっている。これにより、フィルタ３８は、その下端が基端となり、上端が先端となっている。
【００７６】
フィルタ３８は、レベルセンサ２１、ヒータ２２、供給管路２３および戻り管路を取囲むようにタンク本体３２内に設けられている。フィルタ３８は、第１の実施の形態によるフィルタ２４を上，下方向で反転したものとなっている。即ち、フィルタ３８は、フレーム筒３８Ａ１および濾過シート３８Ａ２からなるフィルタ筒部３８Ａと、フィルタ筒部３８Ａの下端３８Ａ３から径方向の外側に延びたフランジ部３８Ｂとにより構成されている。
【００７７】
従って、フィルタ筒部３８Ａは、フィルタ挿入開口部３２Ｌよりも僅かに小さな筒体として形成されている。その内径寸法Ｄ５は、センサユニット２０の外形寸法Ｄ２よりも大きな寸法に形成されている。即ち、フィルタ挿入開口部３２Ｌの直径寸法Ｄ４とセンサユニット２０の外形寸法Ｄ２とフィルタ筒部３８Ａの内径寸法Ｄ５との関係は、下記数２のように設定されている。
【００７８】
【数２】
0006580796.tif 000003
【００７９】
これにより、センサユニット２０とフィルタ３８とは、互いに接触することなくタンク本体３２に抜き差しすることができる。
【００８０】
フィルタ３８をタンク本体３２に取付ける場合の手順の一例について説明する。タンク本体３２のフィルタ挿入開口部３２Ｌに、フィルタ３８のフィルタ筒部３８Ａは、その上端３８Ａ４から上向きに挿入される。このときは、フィルタ筒部３８Ａの下端３８Ａ３は、フィルタ挿入開口部３２Ｌに支持されている。これにより、フィルタ筒部３８Ａの下側は、フィルタ挿入開口部３２Ｌによって径方向に位置決めすることができる。一方、フィルタ筒部３８Ａの上端３８Ａ４は、ユニット挿入開口部３２Ｇに嵌合されている。これにより、フィルタ筒部３８Ａの上側は、ユニット挿入開口部３２Ｇによって径方向に位置決めすることができる。しかも、フィルタ筒部３８Ａの上端３８Ａ４をユニット挿入開口部３２Ｇに嵌合した状態では、この上端３８Ａ４側を弾性を有するＯリング３３によって保持できるから、振動や衝撃からフィルタ筒部３８Ａの上端３８Ａ４側を保護することができる。
【００８１】
第２の実施の形態による尿素水タンク３１は、上述の如き構成を有するもので、次に、尿素水タンク３１を組立てる場合の作業手順のうち、特徴をなす一部の作業手順の一例について説明する。
【００８２】
フィルタ３８のフィルタ筒部３８Ａを、上端３８Ａ４側からタンク本体３２のフィルタ挿入開口部３２Ｌに挿入する。これにより、フィルタ筒部３８Ａの上端３８Ａ４をユニット挿入開口部３２ＧにＯリング３３を介して嵌合する。また、フランジ部３８Ｂをタンク本体３２の凹陥部３２Ｍに配置する。これにより、タンク本体３２に対してフィルタ３８を位置決め状態で挿着することができる。
【００８３】
タンク本体３２に対してフィルタ３８を挿着したら、閉塞底板３６をタンク本体３２の下面部３２Ｂに当接する。この状態で、閉塞底板３６に設けられた各ボルト挿通孔３６Ａにボルト１８を挿通し、このボルト１８を下面部３２Ｂの各ねじ穴３２Ｐに螺着する。
【００８４】
これにより、閉塞底板３６は、各ボルト１８を用いてタンク本体３２に取付けることができる。この閉塞底板３６の取付構造を利用することで、フィルタ３８は、そのフランジ部３８Ｂをタンク本体３２の下面部３２Ｂと閉塞底板３６との間に挟持して取付けることができる。
【００８５】
かくして、このように構成された第２の実施の形態においても、前述した第１の実施の形態とほぼ同様の作用効果を得ることができる。特に、第２の実施の形態によれば、フィルタ３８は、タンク本体３２の下面部３２Ｂ側から上向きに挿入することができる。また、タンク本体３２に挿入したフィルタ３８は、閉塞底板３６によって下面部３２Ｂとの間に挟持することができる。
【００８６】
次に、図１３は本発明の第３の実施の形態を示している。本実施の形態の特徴は、フィルタは、基端がユニット挿入開口部を閉塞するための閉塞部材に一体的に設けられ、フィルタは、先端側からユニット挿入開口部を介してタンク本体内に挿入されたことにある。なお、第３の実施の形態では、前述した第１の実施の形態と同一の構成要素に同一の符号を付し、その説明を省略するものとする。
【００８７】
図１３において、第３の実施の形態によるフィルタ一体型取付部材４１は、閉塞部材をなす取付筒体４２およびキャップ体４３と、取付筒体４２と一体形成されたフィルタ４４とにより構成されている。取付筒体４２とキャップ体４３は、取付筒体４２が樹脂材料によって形成されている点を除いては、前述した第１の実施の形態による取付筒体１７とキャップ体１９と同様の構成となっている。このため、構成の説明は省略するものとする。
【００８８】
フィルタ４４は、第１の実施の形態によるフィルタ２４のフィルタ筒部２４Ａと同様に、フレーム筒４４Ａと濾過シート４４Ｂとにより形成されている。フレーム筒４４Ａの上端は取付筒体１７に一体的に取付けられている。
【００８９】
かくして、このように構成された第３の実施の形態においても、前述した第１の実施の形態とほぼ同様の作用効果を得ることができる。特に、第３の実施の形態によれば、フィルタ４４を取付筒体１７に一体的に取付けている。これにより、部品点数を削減することができ、組立作業時、フィルタ４４の交換作業時の作業性を向上することができる。
【００９０】
次に、図１４は本発明の第４の実施の形態を示している。本実施の形態の特徴は、フィルタは、基端がユニット挿入開口部を閉塞するための閉塞部材に一体的に設けられ、フィルタは、先端側からユニット挿入開口部を介してタンク本体内に挿入されたことにある。なお、第４の実施の形態では、前述した第２の実施の形態と同一の構成要素に同一の符号を付し、その説明を省略するものとする。
【００９１】
図１４において、第４の実施の形態によるフィルタ一体型閉塞底板５１は、閉塞部材をなす底板本体５２と、底板本体５２と一体形成されたフィルタ５３とにより構成されている。底板本体５２は、樹脂材料によって形成されている点を除いては、前述した第２の実施の形態による閉塞底板３６と同様の構成となっている。このため、構成の説明は省略するものとする。
【００９２】
フィルタ５３は、第２の実施の形態によるフィルタ３８のフィルタ筒部３８Ａと同様に、フレーム筒５３Ａと濾過シート５３Ｂとにより形成されている。フレーム筒５３Ａの下端は底板本体５２に一体的に取付けられている。
【００９３】
かくして、このように構成された第４の実施の形態においても、前述した第２の実施の形態とほぼ同様の作用効果を得ることができる。特に、第４の実施の形態によれば、フィルタ５３を底板本体５２に一体的に取付けている。これにより、部品点数を削減することができ、組立作業時、フィルタ５３の交換作業時の作業性を向上することができる。
【００９４】
なお、第１の実施の形態では、センサ取付部材１６の取付筒体１７とキャップ体１９とを別部材として設けた場合を例示している。しかし、本発明はこれに限らず、例えば、取付筒体１７とキャップ体１９とを一体形成する構成としてもよい。この構成は、他の実施の形態にも同様に適用することができるものである。
【００９５】
第１の実施の形態では、タンク本体１２の嵌合部１２Ｍの内周面１２Ｍ１に環状溝１２Ｎを設け、この環状溝１２Ｎに弾性部材としてのＯリング１４を装着する。これにより、タンク本体１２側のＯリング１４でフィルタ２４のフィルタ筒部２４Ａの下端２４Ａ４弾性的に保持する構成とした場合を例示している。しかし、本発明はこれに限らず、フィルタ２４のフィルタ筒部２４Ａの下端２４Ａ４の外周に環状溝を設け、この環状溝にＯリングを装着する構成としてもよい。この構成は、他の実施の形態にも同様に適用することができるものである。
【００９６】
第１の実施の形態では、開口部としてのユニット挿入開口部１２Ｈは、タンク本体１２の上面部１２Ａのみに設けられ、センサユニット２０とフィルタ２４の両方をユニット挿入開口部１２Ｈから下向きに挿入した場合を例示している。また、第２の実施の形態では、開口部としてのユニット挿入開口部３２Ｇは、タンク本体３２の上面部３２Ａに設けられている。この上で、センサユニット２０をユニット挿入開口部３２Ｇから下向きに挿入している。一方で、開口部としてのフィルタ挿入開口部３２Ｌは、タンク本体３２の下面部３２Ｂに設けられている。この上で、フィルタ３８をフィルタ挿入開口部３２Ｌから上向きに挿入した場合を例示している。
【００９７】
しかし、本発明はこれらの構成に限定されるものではない。即ち、開口部としてのユニット挿入開口部は、タンク本体の下面部のみに設けられ、センサユニットとフィルタの両方をユニット挿入開口部から上向きに挿入する構成としてもよい。さらに、この構成は、第３の実施の形態にも同様に適用することができる。この場合、タンク本体の下面部のみに設けられた開口部としてのユニット挿入開口部からフィルタ一体型取付部材４１とセンサユニット２０を上向きに挿入する構成とすればよい。
【００９８】
各実施の形態では、建設機械の尿素水タンクとして、クローラ式の油圧ショベル１の尿素水タンク１１，３１を例に挙げて説明した。しかし、本発明はこれに限るものではなく、ホイール式の油圧ショベル、油圧クレーン、ホイールローダ等の他の建設機械に設けられた尿素水タンクにも広く適用することができる。
【符号の説明】
【００９９】
１  油圧ショベル（建設機械）
２  下部走行体（車体）
３  上部旋回体（車体）
６  エンジン
１０  ＮＯｘ浄化装置（排気ガス後処理装置）
１１，３１  尿素水タンク
１２，３２  タンク本体
１２Ａ，３２Ａ  上面部
１２Ｂ，３２Ｂ  下面部
１２Ｈ  ユニット挿入開口部（開口部）
１２Ｍ  嵌合部
１２Ｐ，３６Ｂ  ねじ孔
１４，３３  Ｏリング（弾性部材）
１５，３７  ドレンプラグ
１６  センサ取付部材（閉塞部材）
２０  センサユニット
２１  レベルセンサ
２４，３８，４４，５３  フィルタ
２４Ａ，３８Ａ  フィルタ筒部
２４Ａ３  上端（基端）
２４Ａ４  下端（先端）
２４Ｂ，３８Ｂ  フランジ部
３２Ｇ  ユニット挿入開口部（嵌合部を兼ねた開口部）
３２Ｌ  フィルタ挿入開口部（開口部）
３６  閉塞底板（閉塞部材）
３８Ａ３  下端（基端）
３８Ａ４  上端（先端）
４１  フィルタ一体型取付部材
４２  取付筒体（閉塞部材）
４３  キャップ体（閉塞部材）
５１  フィルタ一体型閉塞底板
５２  底板本体（閉塞部材）
Ｄ１  ユニット挿入開口部の直径寸法
Ｄ２  センサユニットの外形寸法
Ｄ３，Ｄ５  フィルタのフィルタ筒部の内径寸法
Ｄ４  フィルタ挿入開口部の直径寸法
【図１】
0006580796.tif 000004
【図２】
0006580796.tif 000005
【図３】
0006580796.tif 000006
【図４】
0006580796.tif 000007
【図５】
0006580796.tif 000008
【図６】
0006580796.tif 000009
【図７】
0006580796.tif 000010
【図８】
0006580796.tif 000011
【図９】
0006580796.tif 000012
【図１０】
0006580796.tif 000013
【図１１】
0006580796.tif 000014
【図１２】
0006580796.tif 000015
【図１３】
0006580796.tif 000016
【図１４】
0006580796.tif 000017